(57)【特許請求の範囲】
【請求項１】
一端には、外壁に固定できるように複数個の取付孔が形成された外壁固定部材（９）が設けられ、他端には軒樋の屋外側樋耳（１３）に挿入される扁平部（１４）が設けられた棒状部材と、棒状部材を通す第１の通し孔（３）を有する第１の付勢部（４）、この第１の付勢部と付勢体を形成し棒状部材を通す第２の通し孔（５）を有する第２の付勢部（６）とからなり、棒状部材に付勢支持され且つ棒状部材にスライド可能に案内される屋内側樋耳保持具（７）と、からなる軒樋の保持具であって、棒状部材には、爪支持凹部（２）を形成し、屋内側樋耳保持具の第１の通し孔および第２の通し孔、あるいはいずれか一方の通し孔には、略円弧状凸部形状爪部（８）を形成し、棒状部材の外周面と爪支持凹部における棒状部材の長手方向に相対向する左右側壁の上端とが鋭利に交差することで角張っている２辺の開口縁に、屋内側樋耳保持具の開付勢力により略円弧状凸部形状爪部の縁の中程２点が押し付けられて食い込み状態となることにより、屋内側樋耳保持具が棒状部材に回転阻止された状態で保持されることを特徴とする、軒樋の保持具。
【発明の詳細な説明】
【技術分野】
【０００１】  本発明は、軒樋の保持具の改良に関する。
【背景技術】
【０００２】  従来の、この種軒樋の保持具としては、例えば特許第３５７６９１６号公報所載の考案が存在する。  即ち、この従来のものは、図３（イ）で斜視図で示す様に、屋外側樋耳保持具３０及び屋内側樋耳保持具３１をバネ平板を展開させて折りまげて形成し棒状支持体３３に沿う主体片と二つの取付片３５とにより断面視略コ字状に形成し、二つの取付片の根元側に挿通孔３２を穿設して、取付片を相対向する方向に弾発的に押圧して棒状支持体に挿通孔を挿通してスライドさせて軒樋の保持具としたものである。  しかしながら、上記従来のものは、屋外側樋耳保持具及び屋内側樋耳保持具の棒状支持体である棒状部材を通す通し孔である挿通孔は、（ロ）で展開図で示す様に単に楕円形の挿通孔である為、該弾発性を使って棒状部材長手方向に固定できても、軸周り方向には所望位置に位置決め固定できず、屋外側樋耳保持具及び屋内側樋耳保持具ががクルクルと軸廻りに回転してしまい一定姿勢を静止保持できないという問題点を有していたのである。  軒樋取付作業では、スライド体である屋外側樋耳保持具及び屋内側樋耳保持具の姿勢をまずクルクルと軒樋を保持できる様に手直ししてからでなければ軒樋を嵌める作業ができないという問題点を有していたのである。  棒状部材側のゲージ３４も単なる印でしかなく、特にスライド体を固定する工夫はなされてはいない。スライド体である屋外側樋耳保持具及び屋内側樋耳保持具の位置が左右にぐらつかず固定し所定の向きを堅持する構造は樋支持具の軒樋取付作業において必要である。  また、他の従来技術として、図４で示すように、実願昭５６−０５１３２１号もあげられるが、包持板４０はスプリング材ではなく、その為に係合片４１を固定体に設けられた調節係合穴に嵌めこむ目的で包持板上辺部に対し平行ではなく下向きに設けられていることが本願とは異なる。係合片は、上から下へカチャンカチャンと調節係合穴に置くことにより係合するがキチンと嵌める手段はとられてはおらず、ガタ付きは残るという問題点を有していたのである。  また、包持板は、下からスプリング材４２で持ち上げられているだけだから不安定であり、包持板を調節係合穴に嵌める位置を肉眼で確認できず手探りになり、位置合わせが難しいという問題点を有していたのである。  また、他の従来技術として、図５で示すように、特開２００３−１３５６９号もあげられるが、屋外側樋耳部を保持する樋耳掛止部５０と屋内側樋耳部を保持する樋耳掛止部５１を二つの操作片部との接点であるリベット５２の一点で支える構造になっており、樋を樋支持具に嵌めるとその重みをリベットの一点では支えきれず、屋外側樋耳部を保持する樋耳掛止部が下がってしまうという問題点を有していたのである。  樋支持具本体を取り付けるスライド足片５３である平角棒状部材全体的にその長手方向に連続された凹凸部を設けたことが本願とは異なり、樋耳係止部５０あるいは５１の左右どちらか一方を押すことによりスライド体である樋耳掛止部５０と樋耳掛止部５１をスライド移動させることはできない  また爪部５４は、蝶バネ貫通口５５から飛び出した形状であることが、本願とは異なる。爪部は、スライド足片長手方向へ蝶バネが前後スライド移動することを阻止でき���がスライド足片巾手方向の左右のガタツキは阻止できないという問題点も有していたのである。  また、他の従来技術として、図６で示すように、特開２００３−１３５７１号もあげられるが、平角棒状部材であるスライド足片６０にはその長手方向に連続された凹凸部が設けられているのみで、樋耳係止部６２・６３を、スライド足片６０長手方向へスライド移動させる時、ガタガタガタとさせながら移動することになり、移動にスムーズさがないという問題点も有していたのである。  また、樋耳係止部６２・６３をスライド足片６０長手方向へスライド移動させる為には蝶バネ貫通口６１をスライド足片６０凹凸部の厚みより少し大きめに設ける必要があり、完全に樋耳係止部６２・６３を静止固定させることは難しいという問題点を有していたのである。  また、屋外側樋耳部を保持する樋耳掛止部６２と屋内側樋耳部を保持する樋耳掛止部６３を二つの操作片部との接点であるリベット６４の一点で支える構造になっており、樋を樋支持具に嵌めるとその重みをリベットの一点では支えきれず、屋外側樋耳部を保持する樋耳褂止部と屋内側樋耳部を保持する樋耳掛止部が静止安定せずガタつくという問題点を有していたのである。【特許文献１】特許第３５７６９１６号  実願昭５６−０５１３２１号  特開２００３−１３５６９号  特開２００３−１３５７１号
【発明の開示】
【発明が解決しようとする課題】
【０００３】屋内側樋耳保持具（７）が棒状部材（１）を軸廻りに左右にガタ付くことなく一定姿勢を保持しながら、棒状部材の所定の位置である爪支持部（２）で所定の姿勢で静止保持される構造を実現し、尚且つ、屋内側樋耳保持具（７）の一方から屋内側樋耳保持兵（７）全体を押すだけのワンタッチ操作で屋内側樋耳保持具（７）をスライド移動させることができる、軒樋の保持具を課題とする。
【課題を解決するための手段】
【０００４】  即ち、上記課題を解決する為に本発明が採った手段は、次に述べるような構成となっている。＜請求項１記載の発明＞  〔請求項１〕一端には、外壁に固定できるように複数個の取付孔が形成された外壁固定部材（９）が設けられ、他端には軒樋の屋外側樋耳（１３）に挿入される扁平部（１４）が設けられた棒状部材と、棒状部材を通す第１の通し孔（３）を有する第１の付勢部（４）、この第１の付勢部と付勢体を形成し棒状部材を通す第２の通し孔（５）を有する第２の付勢部（６）とからなり、棒状部材に付勢支持され且つ棒状部材にスライド可能に案内される屋内側樋耳保持具（７）と、からなる軒樋の保持具（１０）であって、棒状部材には、爪支持凹部（２）を形成し、屋内側樋耳保持具（７）の第１の通し孔および第２の通し孔、あるいはいずれか一方の通し孔には、略円弧状凸部形状爪部（８）を形成し、棒状部材の外周面（１９）と爪支持凹部（２）における棒状部材の長手方向に相対向する左右側壁（１５）（１６）の上端とが鋭利に交差することで角張っている２辺の開口縁（１７）に、屋内側樋耳保持具（７）の開付勢力により略円弧状凸部形状爪部（８）の縁の中程２点が押し付けられて食い込み状態となることにより、屋内側樋耳保持具（７）が棒状部材（１）に回転阻止された状態で保持されることを特徴とする、軒樋の保持具（１０）を構成している。
【発明の効果】
【０００５】＜請求項１記載の発明の効果＞屋内側樋耳保持具（７）の略半円弧状の凸部形状爪部（８）は、付勢力をもって棒状部材に設けられた、棒状部材（１）の外周面（１９）に、該棒状部材（１）の外周面（１９）と爪支持凹部（２）における棒状部材の長手方向に相対向する左右側壁（１５）（１６）の上端とが鋭利に交差する２辺の開口縁（１７）の角に嵌り、前記角で押し付けられて食い込み状態となる構造によりお互いにお互いを押し付け合うことによって、屋内側樋耳保持具（７）を棒状部材の長手方向前後に固定する効果と左右方向に固定する効果の２つの効果を奏する。屋内側樋耳保持具（７）を棒状部材軸廻りに回転あるいは左右にガタ付こうとしようとしても、前記屋内側樋耳保持共（７）の開付勢力（通し孔（５）を設けたバネ材である平板（７）を折り曲げて組み立て、該通し孔（５）を棒状部材（１）に挿通して形成した屋内側樋耳保持具（７）であるスライド体が該バネ性で折り曲げ前の元の形状に戻ろうとして開く力）で前記屋内側樋耳保持具（７）爪部（８）の縁が付勢押し付けられて棒状部材の爪支持凹部（２）に食い込み嵌ることにより付勢押し付けられるのでガタ付くことができず、屋内側樋耳保持具（７）が所定の位置と向きを堅持できる構造を実現するという効果を奏する。  また、必要な場合は、屋内側樋耳保持具（７）を摘み抑え収縮させる（２つの取付片（１１）を相対向する方向に弾発的に押圧して摘んで移動させる閉付勢力）等の操作を行うことにより、スライド体爪部（８）を棒状部材（１）の爪支持凹部（２）から浮き上がらせて、棒状部材（１）に案内されての棒状部材長手方向へのガタツキのないスムーズなスライド移動や棒状部材軸廻りに回し操作を行なえるという効果も容易に得ることができる。  爪部（８）を略半円弧状の凸部形状にすることにより、略半円弧状の出っ張った部分が爪支持凹部（２）に入り込む形となり、前記爪支持凹部（２）との食い込み関係を、たとえば逆三角形など色々な形状のなかで最も安定した、左右前後にガタ付くことのないものにするという効果を奏する。しかし、この場合、略半円弧状の最も出張った縁（８）は爪支持凹部（２）の底に接触しないことが重要である。  その理由は、前記爪支持凹部（２）の上部左右の角（１７）が略半円弧状凸部形状爪部（８）の縁に食い込み的状態（引っ掛かり状態）となり、接点である２点が付勢食い込み的状態となる２点接触であるので（略半円弧状凸部形状爪部（８）部が爪支持凹部（２）の底に到達するケースである３点接触、あるいは爪支持凹部（２）との底のみに爪部の最も出っ張った部分が接触する１点接触では、シーソーのように棒状部材長手方向の左右に揺れ、安定しずらい）、屋内側樋耳保持具（７）が安定した状態で静止し、回転しない強力な構成を実現するという効果を得ることができる。屋内側樋耳保持具（７）の通し孔（５）に設けた凸部である爪部（８）と棒状部材（１）に設けた前記爪支持凹部（２）の付勢当接形態部位の接点を、２点にすることによって姿勢や食い込みが安定し、シーソーのように左右に揺れることが起こらず、屋内側樋耳保持具（７）が棒状部材（１）の周りをガタついたり回転したりしない、確実に静止し保持してなるとするという効果を奏する。  スライド体付き棒状部材が軒の幕板などに固定されて軒樋を支持する保持具にあっては、スライド体である屋内側樋耳保持具（７）の位置が回転せずあるいは左右にガタつかないように静止固定していることは軒樋を嵌める時に必要であり、軒樋取付作業のときに、屋外側樋耳保持具及び屋内側樋耳保持具あるいはそのどちらかの姿勢を軒樋を保持できる様にまずクルクルと手直ししなければならない作業が不要となり作業時間の短縮が図れるという効果を奏する。
【発明を実施するための最良の形態】  以下、本発明の最良の実施形態を図面に基づき説明する。【０００６】
図１に付いて、
図（イ）は保持具（１０）の斜視図、
図（ロ）は保持具（１０）の屋内側樋耳保持具（７）を省いた状態での平面図、
図（ハ）は屋内側樋耳保持具（７）を両親指で矢印方向にスライド移動している使用状態平面図、
図（ニ）は屋内側樋耳保持具（７）を矢印方向にスライド移動することにより樋幅Ｗの大きな軒樋にも小さな軒樋にも使用できるということを図示した使用状態を示す側面図、
図（ホ）は図（ニ）のＡ−Ａ断面図、
図（ヘ）は屋内側樋耳保持具（７）の第２の通し孔（５）の爪部（８）が、爪支持凹部（２）の開口縁（１７）で食い込み状態となっていることを図示した、（ホ）の一部拡大図、
図（ト）は屋内側樋耳保持具（７）の組み立て前展開図、
図（チ）は（ト）の一部拡大図で第２の通し孔（５）を図示している。
図１に於いて、（１０）は丸棒を使った棒状部材（１）にスライド体を屋内側樋耳保持具（７）として設けた軒樋の保持具を示し、爪支持凹部（２）が棒状部材（１）の長手方向に一定の長さＶをもって長溝形態に設けられ、前記棒状部材（１）に通る第２の通し孔（５）に略半円弧状の凸部形状爪部（８）が設けられている。屋内側樋耳保持具（７）には、その他、前記棒状部材（１）に通る第１の通し孔（３）、屋内側樋耳保持具（７）の第１の付勢部（４）、屋内側樋耳保持具（７）の第２の付勢部（６）、屋内側樋耳保持具（７）の二つの取付片（１１）が設けられている。
また、本体である棒状部材（１）の屋内側一端に、軒下の幕板に固定できるように複数個の取り付け孔であるクギ孔やビス孔が形成された座金である外壁固定部材（９）と、他方の屋外側一端には、棒状部材（１）が軒樋の屋外側耳（１３）に挿入でき且つ屋外側耳（１３）を保持できるだけの横幅と高さとをもった、扁平部である屋外側軒樋保持具（１４）が設けられている。
また、前記爪支持凹部（２）は、該棒状部材（１）の外周面（１９）に設けられ、該棒状部材（１）の外周面（１９）と、該棒状部材（１）の長手方向に相対向する左右側壁（１５）（１６）の上端点が鋭利に交差することで、角ばっている長手方向２辺の開口縁（１７）をもつ角長孔である。
この実施例では、屋内側樋耳保持具（７）の移動は屋内側樋耳保持具（７）の一側面（１２）を図１（ハ）のように親指で押すだけでできる。    
尚、屋内側樋耳保持具（７）の一側面（１２）と相対向する側面であるスライド体の第２の付勢部（６）に設けた第２の通し孔（５）のみに略半円弧状の凸部形状爪部（８）を設けると、屋内側樋耳保持具（７）の一側面（１２）を親指で押す力によって屋内側樋耳保持具（７）の第１の付勢部（４）がバネとなり、小さな押力で引っかかることなく軽く屋内側樋耳保持具（７）をスライド移動できる。
図１（ヘ）の部分拡大図で図示した、前記爪支持凹部（２）に爪部（８）を嵌めたままの状態で屋内側樋耳保持具（７）の一側面（１２）を親指で押すだけでスライドさせることができる。
略半円弧状の凸部形状爪部（８）は、両親指に押されて、棒状部材（１）に設けられた長溝（２）内をその棒状部材（１）長手方向である矢印方向へと滑って移動する。
尚、元の位置に戻す必要がある場合は、屋内側樋耳保持具（７）の二つの取付片（１１）を相対向する方向に弾発的に押圧して（閉付勢力）、略半円弧状の凸部形状爪部（８）を爪支持凹部（２）から浮かせて相互の食い込みを解除すれば所望位置へとスライド移動して戻すことができる。
【０００７】次に本発明の他の実施形態を説明する。【０００８】爪支持凹部（２）の他の実施形態として、図２（ハ）で図示した様に、爪支持凹部（２）の屋内側樋耳保持具（７）の通し孔（５）の爪部（８）が押し当たる開口縁（１７）を微細な方向性のあるノコギリ歯状の凹凸（２ｃ）にすると、上記スライド移動がよりスムーズになり且つ戻らない。  尚、図１の実施形態に於いては、丸棒である棒状部材（１）に長溝形態の爪支持凹部（２）を形成したが、例えば図２（イ）（ロ）のように棒状部材を平角板（１ｂ）で形成したり、図２（イ）（ロ）のように爪支持凹部を角孔（２ａ）や丸孔（２ｂ）で設けたりすることも可能である。【０００９】  その他、棒状部材（１）、爪支持凹部（２）、屋内側樋耳保持具（７）及び爪部（８）の形状等の具体的な特定事項も決して上記実施形態に限定されず、本発明の意図する範囲内に於いて任意に設計変更自在である。
【図面の簡単な説明】
【００１０】
【図１】本発明に係る軒樋の保持具の一実施形態を示し、（イ）は斜視図、（ロ）は保持具の屋内側樋耳保持具を省いた状態での平面図、（ハ）は使用状態を表わす平面図、（ニ）は屋内側樋耳保持具を矢印方向にスライド移動することにより樋幅Ｗの大きな軒樋にも小さな軒樋にも使用できるということを図示した使用状態を示す側面図、（ホ）は（ハ）のＡ−Ａ断面図、（ヘ）は（ホ）の一部拡大図、（ト）は屋内側樋耳保持具の組み立て前展開図、（チ）は（ト）の一部拡大図。
【図２】（イ）（ロ）（ハ）は本発明に係る棒状部材および爪支持凹部の他の実施形態。
【図３】（イ）は従来例を示す樋樋の保持具の斜視図、（ロ）は部分拡大展開図。
【図４】他の従来例を示す樋支持具の斜視図。
【図５】（イ）は他の従来例を示す樋支持具の斜視図、（ロ）は部分拡大断面図。
【図６】他の従来例を示す樋支持具の斜視図。
【符号の説明】
【００１１】（１）：棒状部材（２）：爪支持凹部（３）：第１の通し孔（４）：第１の付勢部（５）：第２の通し孔（６）：第２の付勢部（７）：屋内側樋耳保持具（８）：爪部（９）：外壁固定部材（１０）：保持具（１１）：取付片（１２）：屋内側樋耳保持具の一側面（１３）：屋外側樋耳（１４）：屋外側軒樋保持具（１５）（１６）：左右側壁（１７）：開口縁（１８）：主体片（１９）：外周面（２ａ）：角孔（２ｂ）：丸孔（２ｃ）：ノコギリ歯状の凹凸
【図１】
0003967756.tif 000002
【図２】
0003967756.tif 000003
【図３】
0003967756.tif 000004
【図４】
0003967756.tif 000005
【図５】
0003967756.tif 000006
【図６】
0003967756.tif 000007